【手続補正書】
【提出日】平成17年2月17日(2005.2.17)
【手続補正１】
【補正対象書類名】明細書
【補正対象項目名】全文
【補正方法】変更
【補正の内容】
【書類名】      明細書
【発明の名称】  写真シール自動販売方法とその装置、写真シール紙ユニット及び写真シールシート
【特許請求の範囲】
【請求項１】
照明手段で撮像空間内の１以上の被写体を照明し撮像手段で撮像して撮像画像を作成する撮像処理を許容し、
編集対象の画像に対して編集手段で編集して編集画像を作成する編集処理を許容し、
所定の画像を出力手段で出力する写真シール自動販売方法であって、
前記被写体をほぼ等身大で表示可能な表示手段で所定の画像を表示して前記撮像処理及び／又は前記編集処理を許容する
写真シール自動販売方法。
【請求項２】
前記表示手段を、画像を投写する画像投写手段と投写された画像を写像する写像部材とで構成する
請求項１記載の写真シール自動販売方法。
【請求項３】
前記写像部材の写像範囲内に前記撮像手段の収像点を備えて撮像する
請求項２記載の写真シール自動販売方法。
【請求項４】
複数回の撮像により複数の撮像画像を得たとき、前記表示手段に対し、表示画像選択手段で所定枚数の撮像画像を選択的に大きく表示可能にする
請求項１、２又は３記載の写真シール自動販売方法。
【請求項５】
照明手段で撮像空間内の１以上の被写体を照明し撮像手段で撮像して撮像画像を作成する撮像処理を許容し、
編集対象の画像に対して編集手段で編集して編集画像を作成する編集処理を許容し、
所定の画像を出力手段で出力する写真シール自動販売装置であって、
前記撮像処理及び／又は前記編集処理で前記被写体をほぼ等身大で表示可能な表示手段を備えた
写真シール自動販売装置。
【請求項６】
前記表示手段を、画像を投写する画像投写手段と、投写された画像を写像する写像部材とで構成した
請求項５記載の写真シール自動販売装置。
【請求項７】
前記写像部材の写像範囲内に前記撮像手段の収像点を備えた
請求項６記載の写真シール自動販売装置。
【請求項８】
複数回の撮像により複数の撮像画像を得たとき、前記表示手段に対し、所定枚数の撮像画像を選択的に大きく表示可能にする表示画像選択手段を備えた
請求項４、５又は６記載の写真シール自動販売装置。
【請求項９】
画像が印刷されるシール紙と、該シール紙の真偽を識別させる識別体を備え、
請求項１から８のいずれか１つに記載の写真シール自動販売方法又は写真シール自動販売装置に備えられた識別手段で、前記識別体が識別されて前記所定の画像が印刷される
シール紙ユニット。
【請求項１０】
請求項１から８のいずれか１つに記載の写真シール自動販売方法又は写真シール自動販売装置で前記所定の画像を印刷される又は印刷された
写真シールシート。
【発明の詳細な説明】
【０００１】
【発明の属する技術分野】
この発明は、例えば被写体を照明して撮像した画像を編集して印刷するような写真シール自動販売に関する。
【０００２】
【従来の技術】
従来、写真シール自動販売装置として、被写体をデジタルカメラで撮像し、該撮像による撮像画像に対してタッチパネルで任意の文字や図形を書き込ませる落書き編集を許容し、該編集による編集画像をプリンタで印刷した写真シールシートを販売するものが存在している。
【０００３】
このような写真シール自動販売装置では、撮像時にポーズの確認を行えるように、比較的小型のモニタが備えられている。  
また、写真シール自動販売装置のライフサイクルが短く次々と新しい写真シール自動販売装置が提供されており、最近では銀塩写真に匹敵する精度で印刷した写真シールシートを出力できるように進化し、顔の詳細な表情や頭髪の細かい乱れや質感まで表現できるようになっている。
【０００４】
【発明が解決しようとする課題】
しかし、前述したように印刷精度が向上しているにも関わらず、撮像時にポーズを確認するモニタが小型であるため細部は確認できず、特に全身撮像を行うためにデジタルカメラから離れて撮像する際には、大雑把にポーズを確認することしかできなかった。
【０００５】
そのため、撮像処理終了後の落書き編集時や印刷後の写真シールシートを見て、頭髪の乱れなど意図しない結果となっていることに後から気づくことがあり、利用者に不満を与える結果となっていた。
【０００６】
この発明は、撮像時にデジタルカメラから離れていても撮像画像の細部まで確認することができると共に、撮像時のアミューズメント性を高め、撮像時の意図と印刷結果の違いによる不満を解消して顧客満足度の向上を図ることを目的とする。
【０００７】
【課題を解決するための手段】
この発明は、照明手段で撮像空間内の１以上の被写体を照明し撮像手段で撮像して撮像画像を作成する撮像処理を許容し、編集対象の画像に対して編集手段で編集して編集画像を作成する編集処理を許容し、所定の画像を出力手段で出力する写真シール自動販売方法またはその装置であって、前記被写体をほぼ等身大で表示可能な表示手段で所定の画像を表示して前記撮像処理及び／又は前記編集処理を許容する写真シール自動販売方法またはその装置であることを特徴とする。
【０００８】
前記編集対象の画像は、前記撮像画像の他、通信手段又は記憶媒体読取手段等のデータ取込手段で取得する画像、すなわち個人用デジタルカメラでの撮像やパソコンでのグラフィック制作等によるデジタル画像や、写真や絵画等の実画像をスキャナでスキャニングしたスキャニング画像を含む。  
前記所定の画像は、前記撮像画像、前記デジタル画像、前記スキャニング画像、及び／又はこれらの画像を編集手段で編集した編集画像であることを含む。
【０００９】
前記出力手段は、画像を印刷する印刷手段、画像データを送信する通信手段、又は画像データを記憶媒体に書き込む記憶媒体リーダライタであることを含む。  
前記表示手段は、画像を投写（対象物に投射して写し出す）するプロジェクタ（映写機）とその画像を写像（像を写し出す）するスクリーン又は筐体又はカーテン、大型テレビ、若しくは鏡であることを含み、前記プロジェクタには透過型プロジェクタ及び反射型プロジェクタを含む。
【００１０】
前記構成により、利用者は、大きく表示された画像で細部を確認して撮像及び／又は編集を行うことができ、撮像画像の確認であれば編集時若しくは印刷後、編集画像の確認であれば印刷後になってから、意図しない結果になっていることに気づくといった不満から解放される。
【００１１】
好ましい実施の形態として、前記表示手段を、画像を投写する画像投写手段と投写された画像を写像する写像部材とで構成することができる。  
前記画像投写手段は、透過型プロジェクタ又は反射型プロジェクタであることを含む。
【００１２】
前記写像部材は、スクリーン、白色等の色に塗装した筐体等の塗装面、又は、白色等の色に形成した半透明又は不透明の樹脂等の板状部材であることを含む。  
前記構成により、写像部材が完全な平面である場合はもちろん、一部突起状に形成するなど完全な平面で無い場合であっても、写像する画像に切れ目を発生させず連続した１つの画像として表示できると共に、例えば大型のテレビを設置する場合と比較してコストダウンを図ることができる。
【００１３】
加えて、照明手段、撮像手段、編集手段及び出力手段を備えた筐体を写真シール自動販売装置に備え、画像投写手段を前記筐体の外側に備えた場合には、筐体内部の構造を簡略することができて前記筐体を薄型に形成可能となり、写真シール自動販売装置を設置する設置場所を小さくして占有面積を減少することができる。特に撮像処理を行う撮像空間と編集処理を行う編集空間を前記筐体の前後に分割した場合には、写真シール自動販売装置の前後方向の延長幅を減少することができ、撮像空間と編集空間を分割する際の占有面積増大という問題を軽減できる。
【００１４】
また好ましい実施の形態として、前記写像部材の写像範囲内に前記撮像手段の収像点を備えて撮像することができる。  
前記収像点は、撮像手段で撮像する像を収める点であり、撮像手段に備えた対物レンズ、又は該対物レンズ設置用に前記写像部材に設けた穴で構成することを含む。
【００１５】
これにより、利用者は撮像手段の収像点に目線を合わせた状態でポーズを確認することが可能になる。
【００１６】
また好ましい実施の形態として、複数回の撮像により複数の撮像画像を得たとき、前記表示手段に対し、表示画像選択手段で所定枚数の撮像画像を選択的に大きく表示可能にすることができる。
【００１７】
前記表示画像選択手段は、表示手段に対して、例えば全撮像画像のうち何枚か毎に表示するような表示制御手段、一覧表示した撮像画像のうち任意の撮像画像を大きく表示するために選択操作させるタッチパネルや押下ボタン等の入力手段で構成することを含む。
【００１８】
前記構成により、利用者は高解像度で大きく表示された撮像画像を確認することができ、撮像画像の出来の良し悪しを細部まで確認することが出来る。  
これにより、例えば複数撮像した撮像画像を確認し、選択したいくつかの撮像画像のみに対して編集、印刷するような場合に、次の問題を防止することができる。すなわち、全撮像画像のうち使用する撮像画像の確認時には確認できなかった不具合（例えばブレた撮像や衣服の小さなゴミ、表情の細かいニュアンスの気に入らない点など）に後から気づき、他の撮像画像にしておけばよかったと後悔するようなことを防止することができ、利用者の満足度の向上を図ることができる。
【００１９】
またこの発明は、画像が印刷されるシール紙と、該シール紙の真偽を識別させる識別体を備え、前記写真シール自動販売方法又は写真シール自動販売装置に備えられた識別手段で、前記識別体が識別されて前記所定の画像が印刷されるシール紙ユニットとすることができる。
【００２０】
前記識別体は、非接触でデータを読書きするＩＤタグ、バーコード、ＩＣカード、特定形状に形成したシール紙ユニットのユニット形状であることを含む。  
前記識別手段は、ＩＤタグに記憶のデータを読取るＩＤタグリーダ、バーコードを読取るバーコードスキャナ、ＩＣカードに記憶のデータを読取るＩＣカードリーダ、特定形状に形成したシール紙ユニットのユニット形状と嵌合する嵌合部であることを含む。
【００２１】
前記シール紙ユニットは、識別体とシール紙とを一体にして構成する、あるいは前記識別体とシール紙とを別体にして構成することを含む。  
前記構成により、前記写真シール自動販売方法又は前記写真シール自動販売装置に適合したシール紙ユニットを確実に使用することができる。
【００２２】
またこの発明は、前記写真シール自動販売方法又は写真シール自動販売装置で前記所定の画像を印刷される又は印刷された写真シールシートとすることができる。  
これにより、利用者は所定の画像を印刷した写真シールシートを得ることができる。
【００２３】
【発明の効果】
この発明により、利用者は撮像する及び／又は撮像した画像の細部まで十分確認して撮像処理を行うことができると共に、様々なポーズをとった状態でも前記画像を容易に確認することができ、撮像後の編集時や印刷後に意図しない細部の不備に気づくといった不満から解放される。
【００２４】
また、複数取得した撮像画像を確認する際に、高解像かつ大表示で確認することができ、使用する撮像画像を細部まで確認した上で決定するといったことが可能になる。
【００２５】
さらに、写真シール自動販売装置を設置するために必要な占有面積を減少し、施設の経営者は空き面積を有効利用して空間利用効率を向上することができ、例えば十分な順番待ち空間の提供によるサービス向上や、他のゲーム機の設置による売上増加を図ることができる。
【００２６】
【発明の実施の形態】
この発明の一実施形態を以下図面と共に説明する。  
まず、図１に示す斜視図と共に第１の実施形態における写真シール自動販売機１の外観について説明する。
【００２７】
写真シール自動販売機１は、撮像空間４及び編集空間５を囲繞するフレーム３と前記撮像空間４及び編集空間５の間に備えた筐体２で概略を形成し、前記フレーム３の上辺からは黒色のカーテン６を吊下げ、撮像空間４及び編集空間５をそれぞれ囲繞している。
【００２８】
前記撮像空間４の上部には、天井照明ボックス４０ａを備え、該天井照明ボックス４０ａの前後方向中央下部には、照明方向を下方に向けた蛍光灯照明装置１２を備える。
【００２９】
前記天井照明ボックス４０ａは、後述する図８の（Ｃ）に示すように、上部は内面を白色塗装した反射板４３でフード状に形成し、下部は光を拡散して透過する白色半透明の拡散板４２で形成し、内部に正面側上向きに光を照射するストロボ照明装置１３を取り付けて構成する。該ストロボ照明装置の照明光は、前記反射板で反射して拡散板４２で拡散し、上から少し正面側へ向かって撮像空間４の内部を略均一に照明する。
【００３０】
前記天井照明ボックス４０ａの正面側下部には、図１に陰線で示すようにプロジェクタ３１を備えており、該プロジェクタ３１は、筐体２の正面に備えた白色板４１に光を投写して画像を写し出し、撮像時に利用者にポーズを確認させる。
【００３１】
撮像空間４の左側面の内側には、筐体２から離れた状態でもデジタルカメラ１１のズーム設定や撮像時のカウントダウン開始といった入力が行える遠隔操作ボタン１５ａと、撮像方法の案内などの表示を行う案内モニタ１６を配置した操作ボックス９を備えており、該操作ボックス９内には、前記案内モニタ１６の案内と共に音声で案内を行うスピーカ（図示省略）を備える。
【００３２】
前記筐体２は、撮像空間４側に向けた正面を、光を拡散して透過する白色半透明の白色板４１で被覆し、該白色板４１は左側面視くの字型となるように、全体的に上方へ傾け上部のみを下方へ傾けて形成する。
【００３３】
前記白色板４１の上方へ傾けた部分は、前述したようにプロジェクタ３１から投写される画像を写像する部分であり、その上部には中央にカメラ穴１１ａを設けてその内部にデジタルカメラ１１を備え、前記カメラ穴１１ａの左右に仕切板７，７を、さらにその外側に蛍光灯照明装置１２，１２を配設する。
【００３４】
筐体２の内部は、図２に示すように上約半分を正面開放のボックス状に形成しており、正面以外の各面を反射板４３で形成する。  
正面側中央に備えた前記デジタルカメラ１１の背部には、ストロボ照明装置１３，１３，１３を備えており、該ストロボ照明装置１３の２つを背面側左右外側に照射方向を向け、１つを背面側上側に照射方向を向けて構成する。
【００３５】
前記ストロボ照明装置１３、白色板４１（図１）、及び反射板４３で構成する正面照明ボックス４０ｂ（図１）は、前記ストロボ照明装置１３からの照射光を、反射板４３で反射し、白色板４１で拡散して被写体を略均一に照明する。
【００３６】
図１に示したように前記白色板４１の右側下方には、硬貨（コイン）を投入する硬貨投入口１７ａを備え、筐体２の右側面下部には、写真シールシート８ｃ（図３）を排出するシール排出口２０ａを形成する。
【００３７】
該シール排出口２０ａ近傍の筐体２の内部には、図３に示す部分拡大図（一部断面図）に示すように、右下部にパソコンで構成した制御装置１０、その上にプリンタ２０を備え付ける。
【００３８】
該プリンタ２０には、シール紙ユニット８をセットしており、該シール紙ユニット８はロール状に巻いたシール紙８ｂと、該シール紙８ｂが正規品か否かを識別させる識別データ等のデータを記憶させたＩＤタグ８ａで構成する。  
前記プリンタ２０の背部にはＩＤタグリーダ／ライタ１９を備え付けており、前記ＩＤタグ８ａに記憶の前記データを読取る。
【００３９】
筐体２の背面には、図４に示す筐体２の背面図に示すように、上から順にスピーカ１８，１８、タッチモニタ１４，１４、タッチペン１４ａ，１４ａを左右に配設し、前記スピーカ１８で必要なアナウンスを行うと共に、利用者に対してタッチペン１４ａによるタッチモニタ１４への入力で落書き編集を許容する。
【００４０】
以上の構成により、写真シール自動販売機１は、撮像前のポーズ設定時にプロジェクタ３１（図１）で白色板４１に被写体の画像を投写してプレビュー表示（動画表示）を行い、撮像時には前記投写を中断して天井照明ボックス４０ａ及び正面照明ボックス４０ｂで被写体を略均一に照明して撮像し、撮像した撮像画像を前記プロジェクタ３１で白色板４１に投影して静止画表示する。撮像が終了すれば利用者を編集空間に移動させ、タッチモニタ１４にタッチペン１４ａでタッチさせて落書き編集を許容し、その編集画像を印刷してシール排出口２０ａから写真シールシート８ｃを排出する。
【００４１】
次に、図５に示す回路ブロック図と共に、写真シール自動販売機１の構造について説明する。  
写真シール自動販売機１は、ＣＰＵ，ＲＯＭ，ＲＡＭを備えて各装置の制御動作を実行する制御装置１０と、該制御装置１０に接続したデジタルカメラ１１、蛍光灯照明装置１２、ストロボ照明装置１３、タッチモニタ１４、遠隔操作装置１５、案内モニタ１６、貨幣処理装置１７、スピーカ１８、ＩＤタグリーダ／ライタ１９、プリンタ２０、プロジェクタ３１、記憶装置５１とを備える。
【００４２】
前記制御装置１０は、前述の通り各装置の制御処理を実行すると共に、撮像前はプロジェクタ３１に画像を投写させておき、撮像時（シャッタ時）に画像の投写を中断する処理も実行する。
【００４３】
前記デジタルカメラ１１は、前記制御装置１０より受取るシャッタ信号で撮像を実行し、撮像動画データや撮像静止画データといった画像データを制御装置１０に送信する。
【００４４】
前記蛍光灯照明装置１２は、制御装置１０からの照明制御信号に従って、少なくとも硬貨の投入によるプレイ開始から撮像終了までの間、撮像空間４内を明るく連続照明し、利用者による操作やポーズ確認に必要な光量を確保する。
【００４５】
前記ストロボ照明装置１３は、制御装置１０からの照明制御信号に従ってストロボ発光を実行し、撮像時に被写体を明るく瞬間照明して撮像に必要な光量を確保する。
【００４６】
前記タッチモニタ１４は、前記制御装置１０よりＲＧＢ信号を受信し、該信号に従って前記デジタルカメラ１１で撮像した撮像画像及び落書き編集させる編集画像等の画像を表示する。また、利用者によってタッチペン１４ａ（図４）で落書き編集等の指示が入力されると、タッチされた座標を入力信号として前記制御装置１０に送信する。
【００４７】
前記遠隔操作装置１５は、３つの遠隔装置ボタン１５ａ（図１）を利用者に押下されることによって、顔をアップで撮像するか全身を撮像するか切替える操作、及び撮像のためのカウントダウンを開始するといった操作を受付け、利用者が前記遠隔装置ボタン１５ａのいずれか１つを押下すると、その入力信号を制御装置に送信する。
【００４８】
前記案内モニタ１６は、撮像方法の案内を表示するモニタであり、制御装置１０からのＲＧＢ信号に従って文字や絵等の画像を表示する。  
前記貨幣処理装置１７は、前述の貨幣投入口１５ａの内部に設けられ、投入された硬貨の真偽判別、金種判別を行い、投入硬貨の枚数を枚数情報として前記制御装置１０に送信する。なお、この硬貨投入は、販売処理の開始信号にもなる。
【００４９】
スピーカ１８は、制御装置１０から受取る音声信号に従って、利用者に対して撮像時のカウントダウンや残り時間等のアナウンスを行う。  
前記ＩＤタグリーダ／ライタ１９は、シール紙ユニット６に備えたＩＤタグ６ａに記憶されているデータを読出信号で読取り、更新信号で前記データの更新を実行する。これによって、シール紙ユニット８が正規のものであるか否かを判定し、必要に応じて印刷回数であるカウント数を上書きする等の更新処理を実行する。
【００５０】
前記プリンタ２０は、前記制御装置１０よりプリント画像データを受信し、受信したプリント画像をシール紙ユニット８（図３）のシール紙８ｂに印刷し、作成した写真シールシート８ｃを排出する。
【００５１】
前記プロジェクタ３１は、制御装置１０からの制御信号に従って稼働すると共にＲＧＢ信号に従って画像を投写し、投写先の白色板４１に撮像前のライブビュー画像や撮像画像等の画像を写し出す（映し出す）。  
前記記憶装置５１は、制御装置１０から受信する設定情報を書き込み記憶し、読み出し時には前記記憶した設定情報を制御装置１０に送信する。
【００５２】
以上の構造により、制御装置１０はプロジェクタ３１にＲＧＢ信号を送信して該プロジェクタ３１で画像を投写して白色板４１に写し出し、撮像時にはプロジェクタ３１の投写を中断してストロボ照明装置１３を発光させ、被写体を略均一に十分な光度で照明して、デジタルカメラ１１での撮像を実行する。
【００５３】
次に、図６に示す処理フロー図と共に写真シール自動販売機１の制御装置１０の動作について、図７、図８、図９に示す動作説明図を参照して説明する。  
利用者によって硬貨投入口１７ａに硬貨が投入されると、制御装置１０は貨幣処理装置１７から開始信号を受け取り、販売処理（プレイ）を開始する（ステップｎ１）。このとき、撮像空間４を明るい印象にするために、硬貨の投入と連動して制御装置１０は蛍光灯照明装置１２に照明制御信号を送信し、蛍光灯照明装置１２の照明光度を上げて撮像空間４を明るくする。
【００５４】
制御装置１０は、デジタルカメラ１１から動画映像の画像データを受信し、該画像データをプロジェクタ３１に対してＲＧＢ信号でリアルタイムに送信し、白色板４１に被写体（利用者）を映し出してライブビュー表示を実行すると共に、遠隔操作ボタン１５ａを点滅させる（ステップｎ２）。
【００５５】
このとき、図７の写真シール自動販売機１の動作説明図に示すように、デジタルカメラ１１は右側面図（Ａ）に仮想線１１ａで示す範囲を撮像しており、プロジェクタ３１は仮想線３１ａで示す範囲の白色板４１に画像を投写して、正面図（Ｂ）に示すようにライブビュー表示を行っている。
【００５６】
利用者は、前記ライブビュー表示で自己のポーズ及び頭髪の乱れ等細部のチェックを行った後、遠隔操作ボタン１５ａで撮像開始を指示し、遠隔操作装置１５から入力信号を受けた制御装置１０はデジタルカメラで撮像を行う（ステップｎ３）。
【００５７】
このとき、制御装置１０はプロジェクタ３１にＲＧＢ信号を送信するのを中断し、デジタルカメラ１１のシャッタと同期をとって、図８に示す写真シール自動販売機１の動作説明図の右側面図（Ｃ）及び正面図（Ｄ）に仮想線の矢印で示すようにストロボ照明装置１３を発光させ、前述のライブビューで画像投影用のスクリーンとして使用していた白色板４１を、ストロボ照明装置１３の照明光を拡散する拡散板として使用する。
【００５８】
撮像画像を画像データとしてデジタルカメラ１１から受取った制御装置１０は、該画像データをＲＧＢデータとしてプロジェクタ３１に送信し、撮像画像を白色板４１に投写して静止画表示し、利用者に撮像画像の確認をさせる（ステップｎ４）。
【００５９】
このときプロジェクタ３１は、図９の動作説明図の右側面図（Ｅ）に示すように、仮想線３１ａの範囲内の白色板４１に対し、正面図（Ｆ）に示すように撮像画像を静止画表示する。
【００６０】
撮像が終了すると、利用者に撮像空間４から編集空間５に移動して落書き編集ができる旨をプロジェクタ３１と白色板４１による表示で通知し、利用者にタッチモニタ１４をタッチペン１４ａでタッチさせて前記撮像画像に落書き編集させる落書き処理を実行する（ステップｎ５）。
【００６１】
ここで、落書き編集とは、タッチモニタ１４上の操作を示し、該タッチモニタ１４には、落書き用のメニュー画面と前記撮像画像を表示する。利用者は、前記メニュー画面上の操作ボタンを選択し、撮像画像にタッチペン１４ａによる落書きを行うことができ、カラーペン、カラースタンプなどのアイテムで撮像画像を画像処理する操作や、合成スタンプ用画像を基本背景画像に配置して合成する操作ができる。なお、落書き編集中は残時間（又は経過時間）をタッチモニタ１４に表示している。
【００６２】
制御装置１０は、前記編集画像（利用者が編集を行わなかった場合は撮像画像、又は撮像画像と編集画像の両方）をプリンタ２０でシール紙８ｂに印刷し（ステップｎ６）、作成した写真シールシート８ｃをシール排出口２０ａから排出して（ステップｎ７）、処理を終了する。
【００６３】
以上の動作により、利用者は、途切れる部分のない１つの画像として大画面表示されたライブビューで、撮像前に撮像ポーズ及び細部を十分確認して撮像を実行することができると共に、撮像した撮像画像も同様に大画面表示されることで、撮像後にも表情、頭髪の乱れ、衣服の乱れといった細部まで確認することができる。
【００６４】
また、以上に示した実施形態では、白色板４１に投写する被写体の画像を等身大よりも一回り程度小さく表示しているが、従来存在したブラウン管ディスプレイや液晶ディスプレイの表示に比較すればほぼ等身大の表示と言い得、表示された画像に近づかなくとも十分に細部まで確認することができる。さらに、顔を中心に撮像するアップ撮像をした場合には、等身大以上に拡大表示することができるため、より細部まで確認することができる。
【００６５】
また、正面照明ボックス４０ｂにより、面積の広い光源で被写体を略均一に正面から照明することができ、光量不足やストロボ照明によるコントラスト強調といった問題を回避し、被写体を美しく撮像することができる。
【００６６】
また、仕切板７によって蛍光灯照明装置１２の照明光で白色板４１を照明しないように構成しているため、ライブビュー表示や撮像画像表示の際にスクリーンとなる白色板４１周辺を暗くすることができる。これにより、デジタルカメラ１１で被写体を動画撮影するのに必要な光量を確保した上で、プロジェクタ３１から投写される画像の白色板４１での写像に対する視認性を向上することができる。
【００６７】
また、カーテン６は黒色であるため、撮像空間４の外部からの光を吸収し、蛍光灯照明装置１２の照明光の反射を抑制して、ライブビュー表示及び撮像画像の表示に対する視認性を向上して画像を鮮明に表示（写像）することができる。
【００６８】
なお、以上に説明した第１の実施形態において、プロジェクタ３１を筐体２の正面から正面側に少し離れた床面に設置し、白色板４１を垂直に構成して、下方からプロジェクタ３１で白色板４１に画像を投写するように構成しても良いし、該プロジェクタ３１の位置に背面側上方に鏡面を向けた反射鏡を備え、筐体２の正面下部中央にプロジェクタ３１を備えて、プロジェクタ３１から投写する画像を反射鏡で反射して前記白色板４１に写し出す構成にしても良い。
【００６９】
これにより、白色板４１に近づきすぎると自己の影でライブビューが確認できなくなるといった問題を回避でき、利用者はプロジェクタ３１若しくは前記反射鏡より正面側で自由にポーズをとりつつライブビューを確認することができる。
【００７０】
また、プロジェクタ３１から画像を投写するのは白色板４１の中央部分とし、その周辺部分をストロボ照明装置１３からの照明光を拡散する拡散板としても良い。これによれば、画像が投写される白色板４１の中央部分を不透明にし、プロジェクタ３１から投写される画像をより鮮明に写し出すことが可能になる。
【００７１】
また、筐体２全体を正面照明ボックス４０ｂとし、撮像時には白色板４１全体から発光するように構成しても良い。これにより、光量を増加してさらに略均一に明るく被写体を照明することができる。
【００７２】
次に、第２の実施形態について、図１０に示す筐体２の斜視図及び図１１に示す写真シール自動販売機１の動作説明図と共に説明する。  
この実施形態では、筐体２の上部に正面側下方に傾けた白色板４１を備え、該白色板４１と反射板４３（図示省略）及びストロボ照明装置１３で上部照明ボックス４０ｃを構成して、該上部照明ボックス４０ｃで撮像時に被写体を照明すると共に白色板４１に撮像画像を写し出す。
【００７３】
筐体２の正面中央にはデジタルカメラ１１を備え、その下部に正面側上方に傾斜させたデジタイザ６１を備える。該デジタイザ６１は、近傍に備えたタッチペン６１ａでタッチされた位置を検出してその入力信号を制御装置１０（図示省略）に送信し、落書き編集等の入力を許容する。なお、この落書き編集時には、撮像画像に対するタッチペン６１ａの位置を前記白色板４１に写し出し、利用者は白色板４１に写し出された画像を確認しつつ落書き編集を行うことができる。
【００７４】
前記筐体２の両側部には、拡散板４２，４２を配設し、該拡散板４２、反射板４３（図示省略）及びストロボ照明装置１３とで側部照明ボックス４０ｄ，４０ｄを構成する。
【００７５】
この実施形態では、撮像空間４内で落書き編集処理も実行するため、前述の実施形態の編集空間５を備えず、図１１の動作説明図に示すように撮像空間４及び筐体２で写真シール自動販売機１を構成する。
【００７６】
デジタルカメラ１１は、仮想線１１ａで示す範囲を撮像し、その画像データを制御装置１０に送信する。  
撮像空間４の正面側上部には、プロジェクタ３１を備えており、仮想線３１ａで示すように前述した白色板４１に画像を投写して写像する。
【００７７】
以上に説明した第２の実施形態では、図５と共に説明した回路ブロック図に仮想線で示すように、デジタイザ６１を制御装置１０と接続し、該デジタイザ１０は利用者にタッチされた座標を入力信号として制御装置１０に送信する。なお、これによって落書き編集が可能となるため、前述したタッチモニタ１４は不要となる。
【００７８】
これにより、利用者は前述の実施形態よりデジタルカメラ１１に接近して撮像しても、自己の影でさえぎることなく白色板４１でライブビューを確認することができ、撮像の自由度が高まる。  
なおこの実施形態において、他の構成、構造、及び動作は前述の第１の実施形態と同様であるので、同一要素に同一符号を付して、詳細な説明を省略する。
【００７９】
次に、第３の実施形態について、図１２に示す筐体２の斜視図と共に説明する。  
この実施形態では、ボックス状に形成した筐体２の正面上側半分程度を白色板４１で構成し、その内部に鏡面を正面側下方に向けたハーフミラー４４を備えると共に該ハーフミラー４４の背部に照明方向を背面側上方に向けたストロボ照明装置１３を備える。
【００８０】
筐体２の内壁は反射板４３で形成し、前記ストロボ照明装置１３の照明光は該反射板４３で反射し、前記ハーフミラー４４を通過し、前記白色板４１で拡散して被写体を略均一に照明する。
【００８１】
筐体２の底部中央には、画像を上方へ投写するプロジェクタ３１を備え、該プロジェクタ３１で投写する画像は、前記ハーフミラー４４で反射し、白色板４１に写し出される。  
筐体２の正面手前には、デジタルカメラ１１を普通人の腰の高さ程度の位置に、俯仰及び左右揺動可能に備える。
【００８２】
また、筐体２の背面及び側面には、第１の実施形態と同様にタッチモニタ１４、タッチペン１４ａ、スピーカ１８、及びシール排出口２０ａを備える。  
この実施形態において、他の構成、構造、及び動作は前述の第１の実施形態と同様であるので、同一要素に同一符号を付して、詳細な説明を省略する。
【００８３】
以上の構成、構造、及び動作により、デジタルカメラ１１で撮像した撮像画像は、画像データとして制御装置１０に送られ、該制御装置１０からＲＧＢ信号を受けたプロジェクタ３１が、前記撮像画像を投写してハーフミラー４４で反射し、該反射した前記撮像画像が白色板４１に写し出される。
【００８４】
これにより、利用者は白色板４１に接近して撮像画像を確認することができ、視力が弱い利用者であっても、白色板４１に近づいて細部を確認することができると共に、どの位置で撮像ポーズをとっても自己の影に遮られず該撮像ポーズを白色板４１で確認することができる。
【００８５】
なお、上述の各実施形態において、プロジェクタ３１と白色板４１に替えて大型テレビを表示装置として備え、別個にストロボ照明ボックスを備えた構成でも良い。
【００８６】
また、デジタルカメラ１１は、デジタルズーム若しくは光学ズーム可能に形成しても良い。これにより、デジタルカメラ１１から一定の距離を保った状態でもアップ撮像や全身撮像が可能になる。
【００８７】
また、デジタルカメラ１１とプロジェクタ３１の回路構造は、図５に仮想線で示すように、制御装置１０にデジタルカメラ１１を接続し、該デジタルカメラ１１に変換ボード３２を介してプロジェクタ３１を接続しても良い。
【００８８】
この場合、デジタルカメラ１１は、画像データを制御装置１０と共に変換ボート３２に送信する。該変換ボード３２は、制御装置１０からの制御信号に従って、前記画像データに対して左右反転や縦横変換など必要な変換処理を実行し、これをＲＧＢ信号としてプロジェクタ３１に送信する。  
この構造にすることで、制御装置１０の負荷を軽減することができる。
【００８９】
また、プロジェクタ３１の画像の投写方向に対して白色板４１が垂直でなくとも、プロジェクタ３１の投写画像を台形型若しくは反台形型に補正して、白色板４１に投影される画像にゆがみが無いようにしても良い。  
また、プロジェクタ３１の画像の投写を撮像時に中断することに替えて、撮像時にプロジェクタ３１の電源を断にしても良い。
【００９０】
また、撮像空間４側にタッチペン１４ａを備え、該タッチペン１４ａで白色板４１に写し出した画像に対して落書き編集できるように構成しても良い。この場合は、例えば白色板４１のどの位置にタッチペン１４ａがあるか検出する位置検出センサを備え、該位置検出センサから入力信号を制御装置１０に送信するように構成しても良いし、白色板４１を大型のタッチモニタ若しくは複数のタッチモニタで形成しても良い。このタッチモニタを使用した場合には、撮像時にタッチモニタを白色表示にすることで、照明の光度を補完するように構成しても良い。
【００９１】
また、プロジェクタ３１は正面又は側面のカーテン６に画像を照射するように構成し、カーテン６に写像された画像でライブビュー表示及び撮像画像の表示を行うよう構成しても良い。
【００９２】
また、カーテン６は黒色に限らず他の色で形成しても良いし、樹脂板等の他の部材で形成しても良い。  
また、デジタイザ６１はタブレットで構成し、コストを抑えるようにしても良い。
【００９３】
次に、第4の実施形態について説明する。  
まず、図１３に示す写真シール自動販売機１０１の外観斜視図、図１４に示す筐体１０２の外観斜視図（一部断面図）、図１５に示す筐体１０２の背面図、図１６に示す筐体１０２の側面説明図、及び図１７に示す筐体１０２の内部一部拡大図（一部断面図）と共に、写真シール自動販売機１０１の構成について説明する。
【００９４】
写真シール自動販売機１０１はフレーム１０３でボックス状に囲繞し、中央に撮像空間１０４を有してその奥側（背面側）に筐体１０２を備え、前記撮像空間１０４の手前側（正面側）に特殊カーテン２１８で囲繞した隠蔽空間１０５を備える。  
前記筐体１０２のさらに奥側には、利用者に落書き編集を許容する編集空間１０６を備える。
【００９５】
前記フレーム１０３の上辺からは、左右部及び正面部に内面が白色のカーテン（図示省略）を吊下げており、前記撮像空間１０４及び特殊カーテン２１８が外部から見えないように囲繞している。
【００９６】
前記構成のうちまず筐体１０２について説明すると、該筐体１０２は、正面上部に正面視四角形の縦長のスクリーン１１６ｐを備えており、その中央少し上方にカメラ穴１１４ａ（図１４）を形成し、該カメラ穴１１４ａからレンズが出るようにして被写体を撮像するデジタルカメラ１１４を備える。
【００９７】
前記スクリーン１１６ｐの周囲には、上部に上照明ボックス１１５ａ、左部に左照明ボックス１１５ｂ、右部に右照明ボックス１１５ｃ、下部に下照明ボックス１１５ｄをそれぞれ備えており、各照明ボックスで撮像空間１０４内の被写体を略均一に照明する。
【００９８】
前記各照明ボックス１１５は、図１４の筐体１０２の斜視図に示すように、ストロボ発光するストロボ照明装置１２４（１２４ａ，１２４ｂ，１２４ｃ，１２４ｄ）、半透明部材で形成して透過する光を拡散する拡散板１２５（１２５ａ，１２５ｂ，１２５ｃ，１２５ｄ）、及び、白色塗装によって光を反射する反射板１２６（１２６ａ，１２６ｂ，１２６ｃ，１２６ｄ）で構成する。
【００９９】
上照明ボックス１１５ａは、ストロボ照明装置１２４ａの照明方向を正面側斜め上方に備え付け、該ストロボ照明装置１２４ａの背面側、左右側面側、及び天井面側に反射板１２６ａを備える。該ストロボ照明装置１２４ａの正面側には、下方に傾斜させて拡散板１２５ａを備え、前記ストロボ照明装置１２４ａからの照明光を前記反射板１２６ａで反射した反射光を、該拡散板１２５ａで拡散して被写体を奥側斜め上から照明する。
【０１００】
左照明ボックス１１５ｂは、ストロボ照明装置１２４ｂの照明方向を背面側斜め側方（斜め左方向）に備え付け、該ストロボ照明装置１２４ｂの背面側、左右側面側、天井面側、及び床面側に反射板１２６ｂを備える。該ストロボ照明装置１２４ｂの正面側には、内側（右側）に傾斜させて拡散板１２５ｂを備え、前記ストロボ照明装置１２４ｂからの照明光を前記反射板１２６ｂで反射した反射光を、該拡散板１２５ｂで拡散して被写体を奥側の側方から斜め内側へ向かって（左側から斜め中央に向かって）照明する。
【０１０１】
なお、前記ストロボ照明装置１２４ｂの正面側に隣接して蛍光灯照明装置１１２ｂを備え、該蛍光灯照明装置１１２ｂで撮像処理の間前述した撮像空間１０４（図１３）を照明する。  
また、拡散板１２５ｂには、前記蛍光灯照明装置１１２ｂの正面側に位置して、縦方向に４つの点灯式操作ボタン１１７を配設し、撮像時にアップ撮像と全身撮像の切り替える操作や、シャッタのカウントダウン開始の操作や、撮像画像の選択操作等、入力操作を許容する。
【０１０２】
なお、前記点灯式操作ボタン１１７（操作手段）を左照明ボックス１１５ｂ（照明手段）の発光面内に位置させることで、筐体１０２の正面（下部を除く）を表示部（スクリーン１１６ｐ）と発光部（照明ボックス１１５）で構成することができる。
【０１０３】
これにより、操作手段（点灯式操作ボタン１１７）を筐体１０２と別体にして形成する、あるいは撮像処理における単純操作のためだけにタッチモニタを設ける等のコスト増加を防止した上で、照明手段（左照明ボックス１１５ｂ）の発光面積を大きく形成することが可能となり、筐体１０２の正面面積を最大限に有効利用することができる。
【０１０４】
なお、前記点灯式操作ボタン１１７（操作手段）は、左照明ボックス１１５ｂ（照明手段）の正面側外部に取り付けて構成しても良いし、左照明ボックス１１５ｂ（照明手段）に隣接させる構成としても良い。
【０１０５】
右照明ボックス１１５ｃは、前記左照明ボックス１１５ｂと左右対称に構成し、その詳細な説明を省略する。
【０１０６】
下照明ボックス１１５ｄは、ストロボ照明装置１２４ｄの照明方向を背面側斜め下方に備え付け、該ストロボ照明装置１２４ｄの背面側、左右側面側、天井面側、及び床面側に反射板１２６ｄを備える。該ストロボ照明装置１２４ｄの正面側には、正面視四角形の拡散板１２５ｄを備え、前記ストロボ照明装置１２４ｄからの照明光を前記反射板１２６ｄで反射した反射光を、該拡散板１２５ｄで拡散して被写体を中央から斜め上方へ向かって照明する。
【０１０７】
図１３に示したように、筐体１０２の上部左側、すなわち左照明ボックス１１５ｂの上部には、無線通信によってデータ転送を行うＰＨＳユニット１１１を備える。
【０１０８】
筐体１０２の背面には、図１５の背面図に示すように編集空間１０６（図１３）を照明する蛍光灯照明装置１１２ｆを備え、その下方位置には、編集用の撮像画像及び編集アイテムを表示すると共に利用者による編集作業の入力を許容する編集用タッチモニタ１１３ｆを備える。なお、該編集用タッチモニタ１１３ｆには２つのタッチペンを備え、一つの画面に対して２人同時にタッチペンによる落書き入力が可能なように構成している。
【０１０９】
ここで、前記編集用タッチモニタ１１３ｆは、図１６の（Ｇ）の側面図に示すように表示面が垂直になるように備えているが、（Ｈ）に示すようにベース１１８を介して編集用タッチモニタ１１３ｆと筐体１０２をネジ止めし、表示面が斜め上に向くように傾斜させて備えることもできる。
【０１１０】
これにより写真シール自動販売機１０１を設置する施設は、施設内で確保できるスペース（空間）に合わせて、狭い場合は（Ｇ）の位置、広い場合は（Ｈ）の位置というように編集用タッチモニタ１１３ｆの設置位置を選択することができる。
【０１１１】
また利用者は、（Ｇ）の場合は立ったときに正面に位置する編集用タッチモニタ１１３ｆに対して小スペースでも問題なく落書き編集ができ、（Ｈ）の場合は立ったときに斜め下に位置する編集用タッチモニタ１１３ｆに対して楽な姿勢で落書き編集ができる。
【０１１２】
なお、前記編集用タッチモニタ１１３ｆは、揺動又は／及びスライド移動するチルド式に形成し、ベース１１８によるネジ止め等の手間をかけずとも、ワンタッチで角度又は／及び位置を変更できるように構成しても良いし、モータ等の駆動手段で可動式に形成し、制御装置１１０の制御に基づいて位置及び方向を調整可能に構成しても良い。
【０１１３】
このようにして、大型化する傾向にある写真シール自動販売機１０１に対し、設置スペースを広く確保できる施設とあまり確保できない施設があるといった課題を解決することができる。
【０１１４】
すなわち、ベース１１８やチルド式構造等の表示方向変更手段を備えることで、施設のスペースに応じて表示手段の表示方向を変更する、あるいは、顧客の身長差に合わせて表示手段（編集用タッチモニタ１１３ｆ等の編集手段）の表示方向を変更可能にするといったことができ、設置スペースに対する自由度が広がり、利用者に対する利便性が向上する。
【０１１５】
筐体１０２（図１４）の下部正面の右側には硬貨を投入する硬貨投入口１２２ｑを備え、筐体１０２の下部側面には写真シールシート１３１ｏ（図１７）を排出する写真シール排出口１２０ｌを備える。
【０１１６】
該写真シール排出口１２０ｌの内部は、図１７の部分拡大図（一部断面図）に示すように、下部にパソコンで構成した制御装置１１０、その上にプリンタ１２０を備え付ける。
【０１１７】
該プリンタ１２０には、シール紙ユニット１３１をセットしており、該シール紙ユニット１３１はロール状に巻いたシール紙１３１ｍと正規品か否かを識別させる識別データ等のデータを記憶させたＩＤタグ１３１ｎで構成する。  
前記プリンタ１２０の背部には、前記ＩＤタグ１３１ｎに記憶の前記データを読取るＩＤタグリーダ／ライタ１２１を備え付ける。
【０１１８】
次に、図１３に示した撮像空間１０４について説明すると、該撮像空間１０４の天井面左側部には、蛍光灯照明装置１１２ｇを備えて撮像空間１０４を撮像処理の間照明している。
【０１１９】
撮像空間１０４の天井面正面側には、映像を投写するプロジェクタ１１６を備えており、該プロジェクタ１１６は、筐体１０２に備えたスクリーン１１６ｐに撮像前のプレビュー表示や撮像画像を投写し、利用者が大画面で撮像画像等を細部まで確認できるように構成している。
【０１２０】
なお、前記撮像画像の表示（写像）は、後述するように全て（８枚）の撮像画像のうち一部（４枚）を表示することで、全てを一覧表示するよりも表示サイズ及び表示解像度を大きくし、利用者が細部まで確認した上で、使用する撮像画像を前述の点灯式操作ボタン１１７（図１４）で選択できるようにしている。
【０１２１】
次に、隠蔽空間１０５について説明すると、該隠蔽空間１０５の上部には平面視略四角形で角を丸めた形状のカーテンレール２１７を備え、該カーテンレール２１７に前記隠蔽空間１０５を囲繞するループ状の特殊カーテン２１８を吊下げる。
【０１２２】
該特殊カーテン２１８は、前記カーテンレール２１７に沿って回転移動可能であり、幅方向に連結した４枚のカーテンで形成する４つの面、すなわち通常面２１８ｈ，縦スリット面２１８ｉ，透明一部模様面２１８ｊ，横スリット面２１８ｋで構成する。
【０１２３】
前記通常面２１８ｈは、白色の不透明なカーテンで形成し、上部に穴２１９を複数並列して設ける。  
前記縦スリット面２１８ｉは、白色の不透明なカーテンで形成し、縦方向の切れ目を幅方向に複数設けると共に、上部に穴２１９を複数並列して設ける。
【０１２４】
前記透明一部模様面２１８ｊは、透明なカーテンで形成し、星型の白色不透明部分を３箇所設ける。  
前記横スリット面２１８ｋは、白色の不透明なカーテンで形成し、幅方向の切れ目を上下方向に複数設けると共に、上部に穴２１９を複数並列して設ける。
【０１２５】
このように形成した特殊カーテン２１８を回転移動させることにより、利用者は周景（背景又は／及び前景）として利用する面を選択し、利用することができる。  
このときの特殊カーテン２１８の利用方法としては、隠蔽空間１０５内に居て縦スリット面２１８ｉ又は横スリット面２１８ｋの切れ目から顔や手など体の一部を出して撮像する、隠蔽空間１０５内に居て透明一部模様面２１８ｊの星型の不透明部分で体の一部を隠して撮像する、あるいは、撮像空間１０４に居て通常面２１８ｈで普通に全身又は上半身を撮像するといったことができ、利用者は従来存在しなかった斬新な遊び感覚での撮像を行うことができる。なお、このような撮像で特殊カーテン２１８が写っている部分には、後述するクロマキー合成を施すことが可能であり、編集効果を高めることができる。
【０１２６】
前記隠蔽空間１０５天井部には、平面視四角形で側面視三角形の天井照明ボックス１１５ｅを備える。  
該天井照明ボックス１１５ｅは、底面を下方斜め奥側（背面側）へ傾斜させた拡散板１２５ｅ（図示省略）で形成し、他の面である天井面、両側面、及び正面を反射板１２６ｅ（図示省略）で形成し、その内部に照明方向を奥側斜め上（背面側斜め上）に向けたストロボ照明装置１２４ｅ（図示省略）を備える。
【０１２７】
これにより、天井照明ボックス１１５ｅは特殊カーテン２１８の穴２１９又は透明部分を介して被写体を正面側斜め上方から照明し、被写体の頭髪の質感を明瞭に撮像できるようにしている。
【０１２８】
また、照明ボックス１１５（１５ａ，１５ｂ，１５ｃ，１５ｄ，１５ｅ）の照明により、撮像時に被写体を略均一に照明して撮像画像に不要な影が発生することを防止し、撮像画像と合成用画像（被写体の周景としてクロマキー合成するための画像）との合成の際に違和感が発生しないようにしている。  
また、前記各照明ボックス１１５に内蔵のストロボ照明装置１２４（１２４ａ，１２４ｂ，１２４ｃ，１２４ｄ，１２４ｅ）の照明光度は、後述する制御装置１１０によって個別に制御され、様々な雰囲気を演出する照明効果を発揮する。
【０１２９】
なお、前記プロジェクタ１１６及び天井照明ボックス１１５ｅは、フレーム１０３の天井部に備えたガイド（図示省略）にネジ止めにて固着している。
【０１３０】
以上の構成により、利用者は、照明ボックス１１５によって面積の広い光源から照明を受けて雰囲気を演出した状態で、デジタルカメラ１１４による撮像を実行することができ、スクリーン１１６ｐに大きく表示された撮像画像を確認し、使用する撮像画像を点灯式操作ボタン１１７で選択することができる。
【０１３１】
また、ベース１１８によって編集用タッチモニタ１１３ｆの設置位置及び設置角度を調整し、施設のスペースに合わせたサイズで写真シール自動販売機１０１を設置できる。
【０１３２】
次に、図１８に示す回路ブロック図と共に、写真シール自動販売機１０１の構造について説明する。  
写真シール自動販売機１０１は、ＣＰＵ，ＲＯＭ，ＲＡＭを備えて各装置の制御動作を実行する制御装置１１０（制御手段）と、該制御装置１１０に接続した以下に説明する各装置を備えている。
【０１３３】
なお、前記制御装置１１０は、各照明ボックス１１５内のストロボ照明装置１２４（１２４ａ，１２４ｂ，１２４ｃ，１２４ｄ，１２４ｅ）に対し、後述する撮像モードに対応した照明光度で発光させる制御も実行する。これと共にプレビュー時には、蛍光灯照明装置１１２を前記撮像モードに対応した照明光度で発光させる制御も実行する。
【０１３４】
また、被写体の周景として合成するための合成用画像を撮像画像の白色部分にクロマキー合成し、合成画像データを作成する処理も実行する。このときのクロマキー合成は、撮影している撮影画像に対して一定レベル以上の明るさ（明度）の部分を合成用画像に置き換える処理を指し、これによって特殊カーテン２１８等で形成される被写体以外の白色部分（周景）のみに対して合成用画像を合成する処理が容易に行える。
【０１３５】
ＰＨＳユニット１１１は、インターネット（公衆回線）を介する無線通信を可能にしており、制御装置１１０の通信信号に従って、インターネット上に設けたメールサーバ（図示省略）やＷＷＷサーバ（図示省略）に編集画像及び／又は撮像画像を送信する。
【０１３６】
なお、前記メールサーバへの送信により、利用者は編集画像及び／又は撮像画像のデータ添付ファイルとして電子メールで受取ることができ、二次利用することが可能になる。
【０１３７】
また、前記ＷＷＷサーバは受信した編集画像をホームページ上に自動公開し、利用者は該ＷＷＷサーバのホームページに携帯電話やパソコンでアクセスして、自己の編集画像及び／又は撮像画像を閲覧及びダウンロードすることができ、メールアドレスを持っていない利用者でも編集画像及び／又は撮像画像のデータを取得することができる。
【０１３８】
蛍光灯照明装置１１２は、制御装置１１０からの照明制御信号に従って、プレイ開始から編集処理を開始するまでの間連続照明を実行し、その間撮像空間１０４を明るく照明する。
【０１３９】
また、蛍光灯照明装置１１２は光度調整（光度制御）が可能なタイプの蛍光灯で構成し、撮像処理中の照明光度は、後述する光度設定値となるように制御装置１１０で制御され、撮像のプレビュー表示でも撮像モードに対応した照明効果を確認できるようにしている。
【０１４０】
編集用タッチモニタ１１３ｆは、前記制御装置１１０よりＲＧＢ信号を受信し、該信号に従って落書き編集画像等の画像を表示する。また、利用者によってタッチペンでタッチされた座標を、入力信号として制御装置１１０に送信する。これにより、撮像画像に対して利用者が落書き編集することを許容している。
【０１４１】
デジタルカメラ１１４は、前記制御装置１１０より受取るシャッタ信号で撮像を実行し、撮像前のポーズ考え中の撮像動画データや、撮像した撮像静止画データといった画像データを、制御装置１１０に送信する。また、ズームの倍率を変更することで、全身撮像とアップ撮像を切替えて撮像することができるように構成している。  
プロジェクタ１１６は、制御装置１１０からの制御信号に従って稼働すると共にＲＧＢ信号に従って動画映像又は静止画影像をスクリーン１１６ｐ（図１３）に投写し、利用者に対して撮像前のポーズ確認と撮像した撮像画像の確認を許容している。
【０１４２】
なお、制御装置１１０からプレビュー用動画と合成用画像をリアルタイムに合成した合成動画データを受信したときには、その合成画像の動画映像又は静止画影像を投写し、利用者が合成後のイメージを確認しつつポーズを決定すること、及び撮像結果の合成画像を確認することを可能にする。
【０１４３】
点灯式操作ボタン１１７は、制御装置１１０の点灯信号に従って点灯／消灯し、利用者に押下されたボタンを示す入力信号を制御装置１１０に送信する。これにより、全身撮像とアップ撮像の切り替え、シャッタのカウントダウン開始、撮像画像のうち編集対象とする画像の選択等、利用者の操作を許容する。
【０１４４】
プリンタ１２０は、前記制御装置１１０よりプリント画像データを受信し、受信したプリント画像をシール紙ユニット１３１（図１７）のシール紙１３１ｍに印刷し、作成した写真シールシート１３１ｏを排出する。
【０１４５】
ＩＤタグリーダ／ライタ１２１は、シール紙ユニット１３１に備えたＩＤタグ１３１ｎに記憶されているデータを読出信号で読取り、更新信号で前記データの更新を実行する。これによって、シール紙ユニット１３１が正規のものであるか否かを判定し、必要に応じて印刷回数であるカウント数を上書きする等の更新処理を実行する。
【０１４６】
貨幣処理装置１２２は、前述の硬貨投入口１２２ｑの内部に設けられ、投入された硬貨の真偽判別、金種判別を行い、投入硬貨の枚数を枚数情報として前記制御装置１１０に送信する。なお、この硬貨投入は、プレイ（販売処理）の開始信号にもなる。
【０１４７】
スピーカ１２３は、制御装置１１０から受取る音声信号に従って、利用者に対して撮像時のカウントダウンや編集するための移動等のアナウンスを行う。  
ストロボ照明装置１２４（１２４ａ，１２４ｂ，１２４ｃ，１２４ｄ）は、光度調整（光度制御）が可能なタイプのストロボ照明装置で構成し、制御装置１１０からの照明制御信号に従って、光度設定値（後述）の光度でのストロボ発光を撮像時に実行する。
【０１４８】
記憶装置１２７は、写真シール自動販売機１０１のプレイに必要な硬貨の枚数やプレイ時間等の設定と共に、光度設定値（後述）を記憶している。また、被写体の周景にクロマキー合成する合成用画像をデータとして記憶しており、制御装置１１０の制御に従って該データの読書きを実行する。前記合成用画像は、例えば顔及び手を排除した着物姿、空に浮かんでいる雲、荒れ狂う波など様々な画像を記憶させておく。
【０１４９】
以上の構造により、利用者は照明によって雰囲気を演出した撮像画像を取得することができ、該撮像画像に対して合成用画像を合成する等の編集を行うことができる。
【０１５０】
次に、記憶装置１２７に記憶の前記光度設定値について、図１９の光度設定値一覧表を示す光度設定値説明図、及び図２０に示す照明効果説明図と共に説明する。
【０１５１】
この実施形態の写真シール自動販売機１０１では、図１９に示すように８つの撮像モード、すなわちＮｏ．１「パールホワイト」からＮｏ．４「ナチュラル」までの明るさの異なる撮像モードと、Ｎｏ．５「グラビア（左）」からＮｏ．８「ホラー」までの特殊な雰囲気を演出する撮像モードを設定している。
【０１５２】
例えばＮｏ．１「パールホワイト」について説明すると、各ストロボ照明装置１２４の照明光度は、  
ストロボ照明装置１２４ｅ（天井照明ボックス１１５ｅに内蔵）：ＯＮ  
ストロボ照明装置１２４ａ（上照明ボックス１１５ａに内蔵）：ＯＮ  
ストロボ照明装置１２４ｂ（左照明ボックス１１５ｂに内蔵）：ＯＮ  
ストロボ照明装置１２４ｃ（右照明ボックス１１５ｃに内蔵）：ＯＮ  
ストロボ照明装置１２４ｄ（下照明ボックス１１５ｄに内蔵）：ＯＦＦ  
と設定しており、図２０のＮｏ．１「パールホワイト」に示すように、被写体の主に顔を白く撮像することで、照明写真のような肌色ではなく写真シール自動販売機らしくパール調の美しい撮像画像を得る設定となっている。
【０１５３】
なおこの「パールホワイト」の設定では、例えば各ストロボ照明装置１２４のうち幾つかを強い光度で照明させるなど、ストロボ照明装置１２４毎に光度設定を調整し、全体的に明るいパール調の撮像画像が得られるように設定している。
【０１５４】
同様に、  
Ｎｏ．２「パール」は、Ｎｏ．１より明るさを抑え目に、  
Ｎｏ．３「ナチュラルホワイト」は、照明写真のような肌色の顔で明るめに、  
Ｎｏ．４「ナチュラル」は、Ｎｏ．３より明るさを抑え目に、  
Ｎｏ．５「グラビア（左）」は、左から照明したグラビア写真調に、  
Ｎｏ．６「グラビア（右）」は、右から照明したグラビア写真調に、  
Ｎｏ．７「バックライト」は、被写体の周りを明るい調子に、  
Ｎｏ．８「ホラー」は、下から照明したホラー調に、  
雰囲気を演出した撮像画像を得る設定となっている。  
なお、各撮像モードによって、制御装置１１０はシャッタタイミングを知らせるカウントダウン等の音声を変更し（例えばＮｏ．８「ホラー」であればホラー調の音声など）、撮像モードに合わせた雰囲気作りを行う。
【０１５５】
また、前述の各撮像モードを組み合わせた撮像コースを以下のように設定する。  
「おすすめコース」：パールホワイト、ナチュラルホワイト、グラビア（左）、ホラーの４モードで各２枚ずつの撮像を実行する。  
「キレイコース」：パールホワイト、パール、ナチュラルホワイト、ナチュラルの４モードで各２枚ずつの撮像を実行する。  
「おもしろコース」：パールホワイト、グラビア（左）、バックライト、ホラーの４モードで各２枚ずつの撮像を実行する。  
「お好みコース」：８つの撮像モードから４つを利用者が任意に選択し、選択された撮像モードで各２枚ずつ撮像を実行する。
【０１５６】
このように、照明によって演出を行う照明演出手段（例えばこの実施形態で光度を調整制御する制御装置１１０のように、照明により雰囲気を演出する手段）により、バラエティ豊かな撮像画像を取得することができ、撮像に対するアミューズメント性が増加し、利用者の満足度が向上する。
【０１５７】
なお、調整する照明手段はストロボ照明装置１２４及び／又は蛍光灯照明装置１１２としても良いし、光度の調整に限らず照明光の色調を調整するように設定しても良い。
【０１５８】
ここで、蛍光灯照明装置１１２はストロボ照明装置１２４の近傍に備えており、選択された撮像モードに対応するストロボ照明装置１２４の撮像用の照明バランス、すなわち前述の光度設定値に従って、プレビュー時の蛍光灯照明装置１１２をＯＮ／ＯＦＦすると共に各々の照明光度も調整し、照明バランスを変更する。これにより、撮像で得られる照明効果をプレビュー時に確認することができ、仕上がりイメージの雰囲気を事前に確認して該雰囲気に対応したポーズで撮像することができる。
【０１５９】
この効果をより適切に利用するために、前記蛍光灯照明装置１１２は、図１４に示した蛍光灯照明装置１１２ｂ，１１２ｃに加えて、ストロボ照明装置１２４ａ，１２４ｄの各正面側（手前側）近傍にも備えると良い。これにより、撮像モード毎に照明によって演出する雰囲気を、プレビュー時に連続照明によって完全に再現することができる。
【０１６０】
このように構成及び設定することで、長時間照明が必要なプレビュー時には、連続照明装置（蛍光灯照明装置１１２）で雰囲気を演出し、利用者が該照明効果を大画面で細部まで確認することができる。例えば撮像モードが「グラビア（左）」であれば、図２１に示すように連続照明装置による雰囲気の演出を受けた被写体の画像が、スクリーン１１６ｐにほぼ等身大でプレビュー表示（動画表示）される。この大画面表示により、利用者は撮像モードによる雰囲気を撮像前に細部まで確認することができる。
【０１６１】
また、十分な照明光度が必要な撮像時には、瞬間照明装置（ストロボ照明装置１２４）で雰囲気を十分かつ効果的に演出し、撮像モードの照明効果を顕著に反映した撮像画像を利用者が取得することができる。
【０１６２】
なお、連続照明装置としては、蛍光灯照明装置と共に又は蛍光灯照明装置に代えて、白熱灯照明装置を使用しても良い。
【０１６３】
また、連続照明装置（蛍光灯照明装置１１２）は、プレビュー時に加えて撮像時にも発光させても良い。
【０１６４】
また、連続照明装置（蛍光灯照明装置１１２）の照明光度は調整せず、ＯＮ／ＯＦＦの切り替えのみで照明効果を確認可能に構成しても良く、また全ての連続照明装置（蛍光灯照明装置１１２）をＯＮにしておき照明光度をそれぞれ変化させて照明効果を確認可能に構成しても良い。
【０１６５】
以上の設定により、利用者は複雑な操作等を行うことなく、撮像の際に雰囲気の演出を行った変化のある撮像を容易に実行することができる。このため、ただ撮像するだけではなく、グラビア調やホラー調などの照明効果を楽しむことができると共に、該照明効果に対応したポーズをプレビュー表示で確認して決定することができる。これらにより、撮像に対するアミューズメント性が飛躍的に向上し、仕上がりの写真シールシート１３１ｏ（図１７）に対する顧客満足度も増大する。
【０１６６】
次に、図２２、図２３に示す制御装置１１０の動作の処理フロー図と共に、図２４の撮像画像選択画面イメージ図を参照して写真シール自動販売機１０１の動作について説明する。
【０１６７】
まず制御装置１１０は、記憶装置１２７に記憶のソフトを起動し、各装置の初期化処理を実行し（ステップｐ１）、デモ画面の映像をスクリーン１１６ｐに投写して、硬貨投入口１２２ｑに硬貨が投入されるまで待機する（ステップｐ２）。
【０１６８】
利用者に硬貨が投入されると、まず撮像コースを利用者に選択させる（ステップｐ３）。  
選択された撮像コースがオートでない場合、すなわち、前述の「お好みコース」であった場合は（ステップｐ４）、撮像モードを利用者に選択させ（ステップｐ５）、それ以外の撮像コースが選択された場合（オートでない場合）は、ステップｐ５をスキップする。
【０１６９】
制御装置１１０は、ストロボ照明装置１２４の充電が終了するまでの間、スクリーン１１６ｐに被写体の画像を投写（動画表示）してプレビュー表示した状態で待ち（ステップｐ６）、充電が完了すると、撮像モードにあわせた音声でカウントダウンを行い、撮像モードに対応した光度でストロボ照明装置１２４を発光させると共に、その照明光を得て被写体をデジタルカメラ１１４で撮像する（ステップｐ７）。
【０１７０】
なお、前記プレビュー表示の際、各蛍光灯照明装置１１２を撮像モードの光度設定値（図１９）に従った明るさで点灯する。これにより、照明効果による雰囲気、顔の写り具合、及び影のつき方等、撮像画像の結果のイメージがわかりやすいようにしている。
【０１７１】
また、前記カウントダウンのとき、音声によるカウントダウンに合わせて点灯式操作ボタン１１７を上から順に点灯させる。これにより、スクリーン１１６ｐに撮像画像を動画表示した状態のまま、音声に加えて視覚によってもシャッタタイミングを伝えることができ、例えば利用者に聴覚障害があるような場合でも明確にシャッタタイミングを伝えることができる。
【０１７２】
制御装置１１０は、同じ撮像モードで２回撮像したか否かを判断し、２回撮像していなければ（１回しか撮像していなければ）ステップｐ６にリターンし、２回撮像していればステップｐ９に処理を進める（ステップｐ８）。
【０１７３】
撮像セットの回数が４回以下であれば（すなわち、１つの撮像モードで２回ずつ撮像し、計８枚の撮像画像を取得する前であれば）、ステップｐ４にリターンし、４回終了していれば、次のステップｐ１０に処理を進める（ステップｐ１０）。
【０１７４】
４回の撮像セットを終了した時点で、先の利用者による編集空間１０６での落書き編集が終了していた場合はステップｐ１２に進み、終了していなかった場合には、再度撮像処理を実行する（ステップｐ１０）。この撮像処理では、撮像モードを利用者に選択させて撮像を実行し、この撮像画像を先のステップで既に撮像している撮像画像のどれと入れ替えるかも利用者に選択させる。
【０１７５】
制御装置１１０は、前述のようにして撮像した８枚の撮像画像から使用する４枚の撮像画像を利用者に選択させるキープ画像選択処理（後述）を実行する（ステップｐ１２）。
【０１７６】
制御装置１１０は、スピーカ１２３での音声通知とスクリーン１１６ｐへの画像投写によって、編集空間１０６で落書き編集が行える旨を案内して利用者に移動を促す（ステップｐ１３）。
【０１７７】
制御装置１１０は、利用者による落書き編集を許容する編集処理を実行する（ステップｐ１４）。この編集処理では、ペンによるフリーハンドの落書き、予め用意した背景パターンや絵柄を配置する落書き、前述したクロマキー合成等の落書きが可能であり、利用者は様々な編集画像を作成することができる。
【０１７８】
編集処理が終了すると、均等８分割や大サイズ２つ＋小サイズ４つ等の分割パターン（編集画像の配置パターン）を利用者に選択させる（ステップｐ１５）。  
制御装置１１０は、編集用タッチモニタ１１３ｆにメールアドレス入力案内画面を表示し、メールアドレスを入力すればそのメールアドレスに編集画像を送信できる旨を利用者に通知し、メールアドレスの入力を許容する（ステップｐ１６）。なお、メールアドレスが入力された場合は、ＰＨＳユニット１１１を介して編集画像データを添付したメールを前記メールアドレスに送信する。
【０１７９】
制御装置１１０は、筐体１０２の横側から写真シールシート１３１ｏを排出する旨を編集用タッチモニタ１１３ｆに表示して案内し（ステップｐ１７）、シール紙１３１ｍに編集画像をプリンタ１２０で印刷した写真シールシート１３１ｏを、写真シール排出口１２０ｌから排出する（ステップｐ１８）。
【０１８０】
以上のようにして全体の処理を実行するが、前記キープ画像選択処理（ステップｐ１２）については、図２３と共に以下に説明する動作を実行する。  
制御装置１１０は、８枚の撮像画像のうち最初に撮像した４枚を図２４に示すようにスクリーン１１６ｐに表示し、落書き編集する画像を利用者に点灯式操作ボタン１１７（１１７ａ~１７ｂ）で選択させる（ステップｑ１）。なお、一度に表示する撮像画像を４枚に減少させることで、高解像度かつ大サイズで撮像画像を表示し、利用者が表情等の写り具合、及び撮像モードによる影のつき方等の照明効果を細部まで確認して選択できるようにしている。
【０１８１】
ここで、例えば点灯式操作ボタン１１７ｂが利用者に押下されたとすると、図２４に示すように点灯式操作ボタン１１７ｂに対応する撮像画像１３３ｂを選択枠１３３ｋで囲んで表示し、選択していることを明示する。
【０１８２】
時間切れとなればステップｑ９に進み（ステップｑ２）、時間内であれば他の画像を見るボタン１３４ｄに対応する点灯式操作ボタン１１７ｄが押下されるか（ステップｑ３）、決定ボタン１３４ｈに対応する点灯式操作ボタン１１７ｈが押下されるか（ステップｑ４）を確認する。
【０１８３】
点灯式操作ボタン１１７ｄ（他の画像を見るボタン１３４ｄに対応）が押下されていない場合で、点灯式操作ボタン１１７ｈ（決定ボタン１３４ｈに対応）が押下されなかった場合はステップｑ２にリターンし、点灯式操作ボタン１１７ｈが押下された場合は、ステップｑ９に処理を進める。
【０１８４】
点灯式操作ボタン１１７ｄ（他の画像を見るボタン１３４ｄに対応）が押下された場合は、ステップｑ１で表示していなかった残り４枚の撮像画像を表示し、利用者に編集画像（又は印刷する画像）として必要な画像を選択させる（ステップｐ５）。
【０１８５】
制御装置１１０は、前述のステップｑ２〜ステップｑ４と同様に、時間切れか否か（ステップｑ６）、次画面選択か（ステップｑ７）、選択終了か否か（ステップｑ８）を確認し、最終的に選択された４つの撮像画像をスクリーン１１６ｐに投影する。（ステップｑ９）
利用者によって選択ＯＫが押下されるまでは、ステップｑ１にリターンしてキープ画像選択処理を繰り返し、利用者が撮像画像に満足して選択ＯＫが押下されれば、キープ画像選択処理を終了する（ステップｑ１０）。これにより、最終確認で選択間違いに気づいたときには、一旦取消して再度選択しなおすことができる。
【０１８６】
なお、図２４に示すようにスクリーン１１６ｐの中央上部にはカウントダウン表示１３５に残時間（例えば６０秒）を表示し、スクリーン１１６ｐの中央下部にはキープ枚数を示す表示部１３６を表示する。これにより、利用者は進行状態を容易に把握することができる。  
また、利用者が撮像画像を４枚選択し終える前に制限時間となったときは、各撮像モードの１枚目を使用するように設定する。
【０１８７】
以上の動作により、利用者は様々な照明効果による撮像画像を取得することができ、図２５の写真シールシート１３１ｏのイメージ図に示すように遊び心あふれる写真シールシート１３１ｏを取得することができる。
【０１８８】
なお、この第４の実施形態において、図２３と共に説明したステップｑ１において、スクリーン１１６ｐへの撮像画像の投写で８枚の撮像画像をすべて表示し、点灯式操作ボタン１１７（１１７ａ〜１１７ｈ）で選択された撮像画像を拡大表示するように設定しても良い。
【０１８９】
すなわち、図２６の撮像画像選択画面イメージ図に示すように、点灯式操作ボタン１１７に対応させて撮像画像を一覧表示し、任意の点灯式操作ボタン１１７（例えば点灯式操作ボタン１１７ｆ）が利用者に押下されると、図２７の撮像画像選択画面イメージ図に示すように、対応する撮像画像を下方に拡大表示する。
【０１９０】
同じ点灯式操作ボタン１１７（すなわち点灯式操作ボタン１１７ｆ）が再度押下された場合は、拡大表示した撮像画像を編集処理に使用する画像として選択し、他の押下ボタン（例えば点灯式操作ボタン１１７ａ）が押下された場合は、該点灯式操作ボタン１１７（すなわち点灯式操作ボタン１１７ａ）に対応する撮像画像を拡大表示する。  
選択を外すときは、選択されている撮像画像に対応する点灯式操作ボタン１１７を２回押下することで、選択されていない状態とすることができる。
【０１９１】
このように設定した場合は、選択された撮像画像については、８枚の撮像画像を４枚ずつ表示する場合よりも高解像度で大きく表示することができ、より細部まで確認することができる。
【０１９２】
また、利用者の選択により使用する４枚の撮像画像は、各撮像モードで２枚ずつ撮像したうちの各一方を選択するようにして、撮像を行った４つの撮像モードが必ず入るように設定しても良いし、自由に選択可能にして、例えば「パールホワイト」を２枚、「ナチュラルホワイト」を１枚、「グラビア（左）」を１枚使用し、「ホラー」は撮像したが使用しないといった選択も可能なように設定しても良い。
【０１９３】
また、図１９と共に説明した光度設定値は、他のパターンの撮像モードを追加する、あるいは、撮像モードの数を絞りこんで減少するようにしても良いし、０と表示したストロボ照明装置１２４は微弱に照明するように設定しても良い。
【０１９４】
また、写真シールシート１３１ｏには、どの撮像モードで撮像したか解るように撮像モードを文字表示するようにして、編集画像（又は編集していない撮像画像）の近傍に印刷しても良いし、前記文字表示を略語で表示しても良い。これにより、利用者はどの画像がどの撮像モードによるものか明確に認識でき、次回利用時の参考とすることができる。
【０１９５】
また、図２２で説明したステップｐ１８の印刷処理は、ステップｐ１５の印刷分割パターン選択後に開始し、印刷中にステップｐ１６のメールアドレス入力案内を行うように設定しても良い。
【０１９６】
また、点灯式操作ボタン１１７は、利用者が指でタッチしたときに信号を発信するタッチセンサ等の操作手段で構成しても良い。
【０１９７】
また、制御装置１１０で照明光度や発光色等の照明状態が制御される照明手段は、ストロボ照明装置、蛍光灯照明装置、白熱灯照明装置、又はこれらの組み合わせで構成することができ、無彩色（白色）又は有彩色の照明手段を使用することができる。
【０１９８】
また、前記照明手段は、カラーフィルム等の色変更手段で色合を変更可能に構成しても良い。  
また、デジタルカメラ１１４とプロジェクタ１１６の回路構造は、図１８に仮想線で示すように、制御装置１１０にデジタルカメラ１１４を接続し、該デジタルカメラ１１４に変換ボード１２８を介してプロジェクタ１１６を接続しても良い。
【０１９９】
この場合、デジタルカメラ１１４は、画像データを制御装置１１０と共に変換ボート１２８に送信する。該変換ボード１２８は、制御装置１１０からの制御信号に従って、前記画像データに対して左右反転や縦横変換など必要な変換処理を実行し、これをＲＧＢ信号としてプロジェクタ１１６に送信する。  
この構造にすることで、制御装置１１０の負荷を軽減することができる。
【０２００】
また、プロジェクタ１１６及びスクリーン１１６ｐは、タッチモニタやディスプレイ等の表示手段で構成しても良い。
【０２０１】
また、特殊カーテン２１８は白色に限らず青色や緑色等のクロマキー合成に適した他の色や、クロマキー合成に関係なく各面毎に様々な色や模様で構成しても良い。これにより、例えば赤色の特殊カーテン２１８を背景にしてホラー設定の撮像モードで撮像し、ホラーらしく赤みがかった撮像画像を得るなど、照明と背景による演出を行って撮像画像のバリエーションを豊富にすることができる。
【０２０２】
また、特殊カーテン２１８は、撮像空間１０４と隠蔽空間１０５の間に１枚のカーテンを備えて形成しても良いし、撮像空間１０４の正面側に１枚のカーテンで形成した特殊カーテン２１８を備えてその正面側には隠蔽空間１０５を設けず、該隠蔽空間１０５に替えて例えば通路等を利用するように構成しても良い。
【０２０３】
また、以上に説明した第４の実施形態と、前述した第１、第２及び第３の実施形態において、いずれか一方でのみ説明した構成、構造、機能、及び動作の一部又は全部を、他方に適用しても良い。これにより、様々なバリエーションの写真シール自動販売機１，１０１を完成させることができ、施設や利用者の要望を最大限に反映した写真シール自動販売機１，１０１を提供することができる。
【０２０４】
この発明の写真シール自動販売装置は、実施形態の写真シール自動販売機１，写真シール自動販売機１０１に対応し、
以下同様に、
シール紙ユニットは、シール紙ユニット８，シール紙ユニット１３１に対応し、
識別体は、ＩＤタグ８ａ，ＩＤタグ１３１ｎに対応し、
シール紙は、シール紙８ｂ，シール紙１３１ｍに対応し、
写真シールシートは、写真シールシート８ｃ，写真シールシート１３１ｏに対応し、
撮像手段は、デジタルカメラ１１，デジタルカメラ１１４に対応し、
収像点は、カメラ穴１１ａ，カメラ穴１１４ａに対応し、
照明手段は、ストロボ照明装置１３，ストロボ照明装置１２４に対応し、
識別手段は、ＩＤタグリーダ／ライタ１９，ＩＤタグリーダ／ライタ１２１に対応し、
出力手段は、プリンタ２０，プリンタ１２０に対応し、
画像投写手段は、プロジェクタ３１，プロジェクタ１１６に対応し、
表示手段は、プロジェクタ３１及び白色板４１，プロジェクタ１１６及びスクリーン１１６ｐに対応し、
写像部材は、白色板４１，スクリーン１１６ｐに対応し、
表示画像選択手段は、制御装置１１０に対応するも、
この発明は、上述の実施形態の構成のみに限定されるものではなく、多くの実施の形態を得ることができる。
【図面の簡単な説明】
【図１】第１の実施形態における写真シール自動販売機の外観を示す斜視図。
【図２】同写真シール自動販売機の正面照明ボックスの内部を示す斜視図。
【図３】同写真シール自動販売機の筐体内部を示す部分拡大図（一部断面図）。
【図４】同写真シール自動販売機の筐体の外観を示す背面図。
【図５】同写真シール自動販売機の制御回路を示すブロック図。
【図６】同写真シール自動販売機の動作を示す処理フロー図。
【図７】同写真シール自動販売機の動作を説明する動作説明図。
【図８】同写真シール自動販売機の動作を説明する動作説明図。
【図９】同写真シール自動販売機の動作を説明する動作説明図。
【図１０】第２の実施形態における筐体の外観を示す斜視図。
【図１１】第２の実施形態における写真シール自動販売機の右側面図。
【図１２】第３の実施形態における筐体の外観を示す斜視図。
【図１３】第４の実施形態における写真シール自動販売機の外観を示す斜視図。
【図１４】同写真シール自動販売機の筐体の外観を示す斜視図（一部断面図）。
【図１５】同筐体の外観を示す背面図。
【図１６】同筐体の側面を示す説明図。
【図１７】同筐体の内部を示す部分拡大図（一部断面図）。
【図１８】同写真シール自動販売機の制御回路を示すブロック図。
【図１９】同写真シール自動販売機の光度設定値説明図。
【図２０】同写真シール自動販売機の照明効果説明図。
【図２１】同写真シール自動販売機のプレビュー画面イメージ図。
【図２２】同写真シール自動販売機の制御装置の動作を示す処理フロー図。
【図２３】同制御装置の撮像キープ画像選択処理での動作を示す処理フロー図。
【図２４】同写真シール自動販売機の撮像画像選択画面イメージ図。
【図２５】同写真シール自動販売機の写真シールシートのイメージ図。
【図２６】同写真シール自動販売機の撮像画像選択画面イメージ図。
【図２７】同写真シール自動販売機の撮像画像選択画面イメージ図。
【符号の説明】
１…写真シール自動販売機
８…シール紙ユニット
８ａ…ＩＤタグ
８ｂ…シール紙
８ｃ…写真シールシート
１１…デジタルカメラ
１１ａ…カメラ穴
１３…ストロボ照明装置
１９…ＩＤタグリーダ／ライタ
２０…プリンタ
３１…プロジェクタ
４１…白色板
１０１…写真シール自動販売機
１１０…制御装置
１１４…デジタルカメラ
１１４ａ…カメラ穴
１１６…プロジェクタ
１１６ｐ…スクリーン
１２０…プリンタ
１２１…ＩＤタグリーダ／ライタ
１２４…ストロボ照明装置
１３１…シール紙ユニット
１３１ｍ…シール紙
１３１ｎ…ＩＤタグ
１３１ｏ…写真シールシート